(57)【特許請求の範囲】
【請求項１】
入力された一対のデジタル色差信号の輪郭を補正する輪郭補正装置において、
前記一対のデジタル色差信号のそれぞれの色差信号における注目画素を中心として少なくとも５画素以上の領域より、中央レベルより大きいレベルの画素を上限値として検出する上限検出手段と、
前記注目画素を中心として少なくとも５画素以上の領域より、中央レベルより小さいレベルの画素を下限値として検出する下限検出手段と、
前記注目画素に対する高域周波数信号成分を生成する高域周波数信号成分生成手段と、
前記注目画素に前記高域周波数信号成分を付加する付加手段と、
前記付加手段の出力の信号レベルを、前記上限値と前記下限値との間で振幅制限する振幅制限手段と、
前記振幅制限手段によって、前記一対のデジタル色差信号における一方の色差信号に対して前記上限値もしくは前記下限値によって振幅制限した際に、前記一対のデジタル色差信号における他方の色差信号を、前記一方の色差信号における前記上限値もしくは前記下限値と同じタイミングの前記他方の色差信号に置き換える置き換え手段とを設けて構成したことを特徴とする輪郭補正装置。
【請求項２】
前記振幅制限手段によって、前記一対のデジタル色差信号における双方の色差信号に対して前記上限値もしくは前記下限値によって振幅制限した際には、前記一対のデジタル色差信号における前記上限値と前記下限値との差が大きい方を一方の色差信号とし、前記一対のデジタル色差信号における前記上限値と前記下限値との差が小さい方の他方の色差信号を、前記一方の色差信号における前記上限値もしくは前記下限値と同じタイミングの前記他方の色差信号に置き換える置き換え手段とを設けて構成したことを特徴とする請求項１記載の輪郭補正装置。
【請求項３】
請求項１または２に記載の輪郭補正装置において、
前記上限値は最大レベルの画素であり、下限値は最小レベルの画素であることを特徴とする輪郭補正装置。
【請求項４】
請求項１または２に記載の輪郭補正装置において、
前記上限値は最大レベルの画素を除く画素であり、下限値は最小レベルの画素を除く画素であることを特徴とする輪郭補正装置。
【請求項５】
入力された第１及び第２のデジタル色差信号の輪郭を補正する輪郭補正装置において、
所定の上限値もしくは所定の下限値によってシュート成分を除去する第１のシュート成分除去手段を有し、前記第１のデジタル色差信号を輪郭補正する第１の輪郭補正部と、
所定の上限値もしくは所定の下限値によってシュート成分を除去する第２のシュート成分除去手段を有し、前記第２のデジタル色差信号を輪郭補正する第２の輪郭補正部と、
前記第１，第２のデジタル色差信号における一方の色差信号を、前記第１もしくは第２のシュート成分除去手段によって、シュート成分を除去して輪郭補正した際、前記第１，第２のデジタル色差信号における他方の色差信号を、前記一方の色差信号における前記上限値もしくは前記下限値と同じタイミングの前記他方の色差信号に置き換える置き換え手段とを設けて構成したことを特徴とする輪郭補正装置。
【請求項６】
前記第１，第２のデジタル色差信号における双方の色差信号を、前記第１及び第２のシュート成分除去手段によって、シュート成分を除去して輪郭補正した際には、前記第１，第２のデジタル色差信号における前記上限値と前記下限値との差が大きい方を一方の色差信号とし、前記第１，第２のデジタル色差信号における前記上限値と前記下限値との差が小さい方の他方の色差信号を、前記一方の色差信号における前記上限値もしくは前記下限値と同じタイミングの前記他方の色差信号に置き換える置き換え手段とを設けて構成したことを特徴とする請求項５記載の輪郭補正装置。
【発明の詳細な説明】
【０００１】
【発明の属する技術分野】
本発明は、テレビジョン受像機やディスプレイ装置等の画像表示装置に表示する映像信号の輪郭を急峻にする輪郭補正装置に係り、特に、２つの色差信号の輪郭を急峻にするに際し、色相が変化することなく輪郭を補正することができる輪郭補正装置に関する。
【０００２】
【従来の技術】
テレビジョン受像機やディスプレイ装置等の画像表示装置に表示する映像信号の輪郭を急峻にする輪郭補正装置が種々提案されている。輪郭補正装置は、映像信号の輪郭にオーバーシュート及びプリシュート（もしくはアンダーシュート）を付加して輪郭を補正するのが一般的である。これに対し、オーバーシュート及びプリシュートを付加した後、シュート成分を除去するようにした輪郭補正装置もある。この種の従来の輪郭補正装置の一例として、特開平５―２９２５２２号公報に記載のものがある。
【０００３】
上記先願に記載の輪郭補正装置は、アナログ回路により構成されており、アナログ信号に対しては上記先願の明細書に記載の通り、輪郭補正動作をする。しかし、上記先願に記載の輪郭補正装置における遅延回路を単に１クロック遅延素子に置き換えてデジタル回路として構成しても、輪郭補正動作はしない。
これについて、図１０及び図１１を用いて説明する。図１１は上記先願に記載の輪郭補正装置における遅延回路を１クロック遅延素子に置き換えてデジタル回路として構成したブロック図、図１１は図１０の動作を説明するための波形図である。
【０００４】
図１０において、入力端子２０１より入力されたデジタル信号は、１クロック遅延素子であるＤフリップフロップ２０２，２０３に順次入力され、１クロックずつ遅延される。入力端子２０１より入力されたデジタル信号は、最大値検出回路２０４，最小値検出回路２０５，ハイパスフィルタ（ＨＰＦ）２０６にも入力される。
【０００５】
Ｄフリップフロップ２０２，２０３の出力はそれぞれ、最大値検出回路２０４，最小値検出回路２０５，ＨＰＦ２０６に入力される。Ｄフリップフロップ２０２より出力された入力信号に対して１クロック遅延した信号Ｂ１は、図１１（Ａ）に示す信号であり、この信号Ｂ１は加算器２０８に入力される。この信号Ｂ１を注目画素とする。
【０００６】
最大値検出回路２０４は、注目画素である信号Ｂ１を中心とする入力された３画素より最大レベルの画素を検出し、図１１（Ｃ）に示す信号Ｂ３を出力する。この信号Ｂ３は最小値検出回路２１０に入力される。最小値検出回路２０５は、信号Ｂ１を中心とする入力された３画素より最小レベルの画素を検出し、図１１（Ｄ）に示す信号Ｂ４を出力する。この信号Ｂ４は最大値検出回路２０９に入力される。
【０００７】
ＨＰＦ２０６は、一例として、タップ利得を（−１／２，１，−１／２）とする３タップのフィルタである。ＨＰＦ２０６は、信号Ｂ１を中心とする入力された３画素より、信号Ｂ１のエッジ部分の高域周波数信号成分を生成する。そして、ＨＰＦ２０６の出力は、ゲイン係数を例えば２とすると、乗算器２０７に入力されて２倍され、図１１（Ｂ）に示す信号Ｂ２とされる。この信号Ｂ２は加算器２０８に入力される。
【０００８】
加算器２０８は、入力された信号Ｂ１と信号Ｂ２とを加算し、図１１（Ｅ）に示す信号Ｂ５を出力する。この信号Ｂ５は、信号Ｂ１に高域周波数信号成分が付加された信号である。信号Ｂ５は、最大値検出回路２０９に入力される。
【０００９】
最大値検出回路２０９は、信号Ｂ４と信号Ｂ５との内、大きい方を選択し、図１１（Ｆ）に示す信号Ｂ６を出力する。この最大値検出回路２０９によって、信号Ｂ５におけるアンダーシュートの部分が除去される。信号Ｂ６は最小値検出回路２１０に入力される。最小値検出回路２１０は、信号Ｂ３と信号Ｂ６との内、小さい方を選択し、図１１（Ｇ）に示す信号Ｂ７を出力する。この最小値検出回路２１０によって、信号Ｂ６におけるオーバーシュートの部分が除去される。信号Ｂ７は、出力端子２１１より出力される。
【００１０】
図１１（Ａ）に示す信号Ｂ１と図１１（Ｇ）に示す信号Ｂ７とを比較すれば分かるように、信号Ｂ１と信号Ｂ７とは全く同じ信号波形となり、図１０に示す構成では、輪郭補正動作を全くしない。
【００１１】
【発明が解決しようとする課題】
ところで、映像信号の輪郭にシュート成分を付加して輪郭を補正するようにした従来の輪郭補正装置においては、輪郭補正の補正量を大きくすると、シュート成分も必然的に大きくなり、画質を劣化させてしまう。また、輪郭補正装置をテレビジョン受像機のみならず、コンピュータ機器やプリンタ装置等の種々の機器に用いることを考えれば、アナログ回路ではなく、デジタル回路で構成することが望ましい。
【００１２】
そこで、画質を劣化させるようなシュート成分が付加することなく輪郭を良好に補正することができるデジタル回路による輪郭補正装置が望まれている。しかも、この場合、耐ノイズ特性に優れていることがより好ましい。
【００１３】
しかしながら、上述のように、特開平５―２９２５２２号公報に記載のようなシュート成分を除去するようにしたアナログ回路による輪郭補正装置を、単純にデジタル回路によって構成しても、輪郭補正動作はせず、上記の要望を満足することはできない。
【００１４】
さらに、輪郭補正装置に入力される信号として、輝度信号と２つの色差信号が用いられる場合には、輝度信号と２つの色差信号の３系統の輪郭補正装置によって輪郭補正がなされる。このとき、輪郭補正を施す前と後とで２つの色差信号の振幅の関係が変化してしまうと、その輪郭補正を施した部分で色相が変化してしまう。そこで、２つの色差信号を輪郭補正する際には、色相を変化させることなく輪郭補正することができる輪郭補正装置が望まれる。
【００１５】
本発明はこのような問題点に鑑みなされたものであり、本発明の目的は、シュート成分が付加することなく輪郭を良好に補正することができるデジタル回路による輪郭補正装置を提供することである。
本発明の他の目的は、耐ノイズ特性に優れたデジタル回路による輪郭補正装置を提供することである。本発明のさらに他の目的は、色相を変化させることなく輪郭補正することができる輪郭補正装置を提供することである。
【００１６】
【課題を解決するための手段】
本発明は、上述した従来の技術の課題を解決するため、
（１）入力された一対のデジタル色差信号の輪郭を補正する輪郭補正装置において、前記一対のデジタル色差信号のそれぞれの色差信号における注目画素を中心として少なくとも５画素以上の領域より、中央レベルより大きいレベルの画素を上限値として検出する上限検出手段と、前記注目画素を中心として少なくとも５画素以上の領域より、中央レベルより小さいレベルの画素を下限値として検出する下限検出手段と、前記注目画素に対する高域周波数信号成分を生成する高域周波数信号成分生成手段と、前記注目画素に前記高域周波数信号成分を付加する付加手段と、前記付加手段の出力の信号レベルを、前記上限値と前記下限値との間で振幅制限する振幅制限手段と、前記振幅制限手段によって、前記一対のデジタル色差信号における一方の色差信号に対して前記上限値もしくは前記下限値によって振幅制限した際に、前記一対のデジタル色差信号における他方の色差信号を、前記一方の色差信号における前記上限値もしくは前記下限値と同じタイミングの前記他方の色差信号に置き換える置き換え手段とを設けて構成したことを特徴とする輪郭補正装置を提供し、
（２）入力された第１及び第２のデジタル色差信号の輪郭を補正する輪郭補正装置において、所定の上限値もしくは所定の下限値によってシュート成分を除去する第１のシュート成分除去手段を有し、前記第１のデジタル色差信号を輪郭補正する第１の輪郭補正部と、所定の上限値もしくは所定の下限値によってシュート成分を除去する第２のシュート成分除去手段を有し、前記第２のデジタル色差信号を輪郭補正する第２の輪郭補正部と、前記第１，第２のデジタル色差信号における一方の色差信号を、前記第１もしくは第２のシュート成分除去手段によって、シュート成分を除去して輪郭補正した際、前記第１，第２のデジタル色差信号における他方の色差信号を、前記一方の色差信号における前記上限値もしくは前記下限値と同じタイミングの前記他方の色差信号に置き換える置き換え手段とを設けて構成したことを特徴とする輪郭補正装置を提供するものである。
【００１７】
【発明の実施の形態】
以下、本発明の輪郭補正装置について、添付図面を参照して説明する。図１は本発明の輪郭補正装置の一実施例を示すブロック図、図２は本発明の輪郭補正装置の全体構成を示すブロック図、図３は本発明の輪郭補正装置の第１の基本構成を示すブロック図、図４及び図５は図３に示す第１の基本構成の動作を説明するための波形図、図６は本発明の輪郭補正装置の第２の基本構成を示すブロック図、図７及び図８は図６に示す第２の基本構成の動作を説明するための波形図、図９は本発明の輪郭補正装置の第３の基本構成をブロック図である。
【００１８】
一般に、ベースバンドの映像信号は、赤（Ｒ），緑（Ｇ），青（Ｂ）の３原色信号、または、輝度信号と２つの色差信号の３チャンネルの信号よりなる。図１及び図２に示す本発明の輪郭補正装置は、Ｒ−Ｙ，Ｂ−Ｙ等の２つの２つの色差信号を対象としたものであるが、本発明の輪郭補正装置の基本構成、即ち、シュート成分が付加することなく輪郭を良好に補正することができるデジタル回路による輪郭補正装置としては、入力信号がいずれであっても、その構成は共通している。以下の説明では、まず、本発明の輪郭補正装置の基本構成について説明する。ここでは、簡略化のため、１チャンネルのみについて示す。即ち、入力されるデジタル信号は、Ｒ，Ｇ，Ｂの３原色信号または輝度信号，色差信号のいずれかである。
【００１９】
＜第１の基本構成＞
図３において、入力端子１より入力されたデジタル信号は、１クロック遅延素子であるＤフリップフロップ２〜５に順次入力され、１クロックずつ遅延される。入力端子１より入力されたデジタル信号は、最大値検出回路６，最小値検出回路７，ハイパスフィルタ（ＨＰＦ）８にも入力される。
【００２０】
Ｄフリップフロップ２〜５の出力はそれぞれ、最大値検出回路６，最小値検出回路７，ＨＰＦ８に入力される。Ｄフリップフロップ３より出力された入力信号に対して２クロック遅延した信号Ｂ１は、図４（Ａ）に示す信号であり、この信号Ｂ１は加算器１０に入力される。この信号Ｂ１を注目画素とする。
【００２１】
最大値検出回路６は、注目画素である信号Ｂ１を中心とする入力された５画素より最大レベルの画素を検出し、図４（Ｃ）に示す信号Ｂ３を出力する。即ち、最大値検出回路６は、入力された５画素より最大値を上限値として検出する上限検出手段である。この信号Ｂ３は最小値検出回路１２に入力される。
最小値検出回路７は、信号Ｂ１を中心とする入力された５画素より最小レベルの画素を検出し、図４（Ｄ）に示す信号Ｂ４を出力する。即ち、最小値検出回路７は、入力された５画素より最小値を下限値として検出する下限検出手段である。この信号Ｂ４は最大値検出回路１１に入力される。
【００２２】
ＨＰＦ８は、一例として、タップ利得を（−１／４，−１，５／２，−１，−１／４）とする５タップのフィルタである。ＨＰＦ８は、信号Ｂ１を中心とする入力された５画素より、信号Ｂ１のエッジ部分の高域周波数信号成分を生成する。
なお、高域周波数信号成分とは直流成分がなく、交流成分のみの信号である。ＨＰＦ８のタップ利得はこれに限定されず、適宜に設定すればよい。
【００２３】
そして、ＨＰＦ８の出力は、ゲイン係数を例えば２とすると、乗算器９に入力されて２倍され、図４（Ｂ）に示す信号Ｂ２とされる。この信号Ｂ２は加算器１０に入力される。
加算器１０は、入力された信号Ｂ１と信号Ｂ２とを加算し、図４（Ｅ）に示す信号Ｂ５を出力する。この信号Ｂ５は、信号Ｂ１に高域周波数信号成分が付加された信号である。信号Ｂ５は、最大値検出回路１１に入力される。
【００２４】
最大値検出回路１１は、信号Ｂ４と信号Ｂ５との内、大きい方を選択し、図４（Ｆ）に示す信号Ｂ６を出力する。この最大値検出回路１１によって、信号Ｂ５におけるアンダーシュートの部分が除去される。信号Ｂ６は最小値検出回路１２に入力される。最小値検出回路１２は、信号Ｂ３と信号Ｂ６との内、小さい方を選択し、図４（Ｇ）に示す信号Ｂ７を出力する。この最小値検出回路１２によって、信号Ｂ６におけるオーバーシュートの部分が除去される。
【００２５】
なお、最大値検出回路１１及び最小値検出回路１２は、信号Ｂ５を、最大値検出回路６による最大値（上限値）と最小値検出回路７による最小値（下限値）との間で振幅制限する振幅制限手段として動作していることが分かる。
【００２６】
以上の動作により、信号Ｂ７は、信号Ｂ１と比較して傾斜の中心付近の傾きが２倍となってエッジが急峻となり、シュート成分が付加することなく輪郭補正される。そして、この信号Ｂ７は、出力端子１３より出力される。なお、信号Ｂ７の傾斜の中心付近の傾きは、乗算器９のゲイン係数の値によって自由に設定することができる。
【００２７】
このように、本発明においては、映像信号における注目画素を中心として５画素の領域より、最大レベルの画素と最小レベルの画素を検出するようにしているので、図４に示すように輪郭補正動作をする。本実施例では、５画素の領域としているが、勿論、６画素以上の領域より、最大レベルの画素と最小レベルの画素を検出するようにしてもよく、少なくとも５画素以上のであればよい。
【００２８】
ここで、図３に示す第１の基本構成の輪郭補正装置に、ノイズが混入した信号が入力された場合について考える。ノイズが混入した信号が入力されたときの各部の動作信号波形の例を図５に示す。図５において、（Ａ）〜（Ｇ）にはそれぞれ信号Ｂ１〜Ｂ７の波形を示している。図５（Ａ）に示す信号Ｂ１において、Ｎ１，Ｎ２がノイズである。このような単発ノイズが加わると、出力される信号Ｂ７においては、図５（Ｇ）に示すように、３クロックの領域に渡ってノイズが拡大されてしまう。即ち、図３に示す第１実施例の輪郭補正装置においては、耐ノイズ特性がよくない。
【００２９】
＜第２の基本構成＞
そこで、耐ノイズ特性を改良したのが図６に示す第２の基本構成である。図６において、入力端子２１より入力されたデジタル信号は、１クロック遅延素子であるＤフリップフロップ２２〜２５に順次入力され、１クロックずつ遅延される。入力端子２１より入力されたデジタル信号は、上限検出回路２６，下限検出回路２７，ハイパスフィルタ（ＨＰＦ）２８にも入力される。
【００３０】
Ｄフリップフロップ２２〜２５の出力はそれぞれ、上限検出回路２６，下限検出回路２７，ＨＰＦ２８に入力される。Ｄフリップフロップ２３より出力された入力信号に対して２クロック遅延した信号Ｂ１は、図７（Ａ）に示す信号であり、この信号Ｂ１は加算器３０に入力される。この信号Ｂ１を注目画素とする。
【００３１】
上限検出回路２６は、注目画素である信号Ｂ１を中心とする入力された５画素より、最大レベルの画素ではなく、２番目に大きいレベルの画素を検出し、図７（Ｃ）に示す信号Ｂ３を出力する。なお、上限検出回路２６は、入力された画素の内、最大レベルの画素を除き中央レベルより大きいレベルの画素を検出するものであり、図６の構成においては、５画素より検出する構成であるので、必然的に２番目に大きいレベルの画素となる。この信号Ｂ３は最小値検出回路３２に入力される。
【００３２】
下限検出回路２７は、信号Ｂ１を中心とする入力された５画素より最小レベルの画素ではなく、２番目に小さいレベルの画素を検出し、図７（Ｄ）に示す信号Ｂ４を出力する。この信号Ｂ４は最大値検出回路３１に入力される。なお、下限検出回路２７は、入力された画素の内、最小レベルの画素を除き中央レベルより小さいレベルの画素を検出するものであり、図６の構成においては、５画素より検出する構成であるので、必然的に２番目に小さいレベルの画素となる。
【００３３】
ＨＰＦ２８は、一例として、タップ利得を（−１／４，−１，５／２，−１，−１／４）とする５タップのフィルタである。ＨＰＦ２８は、信号Ｂ１を中心とする入力された５画素より、信号Ｂ１のエッジ部分の高域周波数信号成分を生成する。
【００３４】
そして、ＨＰＦ２８の出力は、ゲイン係数を例えば２とすると、乗算器２９に入力されて２倍され、図７（Ｂ）に示す信号Ｂ２とされる。この信号Ｂ２は加算器３０に入力される。  加算器３０は、入力された信号Ｂ１と信号Ｂ２とを加算し、図７（Ｅ）に示す信号Ｂ５を出力する。この信号Ｂ５は、信号Ｂ１に高域周波数信号成分が付加された信号である。信号Ｂ５は、最大値検出回路３１に入力される。
【００３５】
最大値検出回路３１は、信号Ｂ４と信号Ｂ５との内、大きい方を選択し、図７（Ｆ）に示す信号Ｂ６を出力する。この最大値検出回路３１によって、信号Ｂ５におけるアンダーシュートの部分が除去される。信号Ｂ６は最小値検出回路３２に入力される。最小値検出回路３２は、信号Ｂ３と信号Ｂ６との内、小さい方を選択し、図７（Ｇ）に示す信号Ｂ７を出力する。この最小値検出回路３２によって、信号Ｂ６におけるオーバーシュートの部分が除去される。
【００３６】
なお、最大値検出回路３１及び最小値検出回路３２は、信号Ｂ５を、上限検出回路２６による上限値と下限検出回路２７による下限値との間で振幅制限する振幅制限手段として動作していることが分かる。
【００３７】
以上の動作により、信号Ｂ７は、信号Ｂ１と比較して傾斜の中心付近の傾きが２倍となってエッジが急峻となり、シュート成分が付加することなく輪郭補正される。そして、この信号Ｂ７は、出力端子３３より出力される。なお、信号Ｂ７の傾斜の中心付近の傾きは、乗算器２９のゲイン係数の値によって自由に設定することができる。
図７（Ｇ）に示す信号Ｂ７と図４（Ｇ）に示す信号Ｂ７とを比較すれば分かるように、図６の構成における信号Ｂ７と図３の構成における信号Ｂ７とは同じ信号波形となる。
【００３８】
ここで、図６に示す第２の基本構成の輪郭補正装置に図５で説明したのと同じノイズが混入した場合について、図８を用いて説明する。図８において、（Ａ）〜（Ｇ）にはそれぞれ信号Ｂ１〜Ｂ７の波形を示している。図８（Ａ）に示す信号Ｂ１において、Ｎ１，Ｎ２がノイズである。
【００３９】
上記のように、第２の基本構成の構成においては、上限検出回路２６は、入力された画素の内、最大レベルの画素を除き中央レベルより大きいレベルの画素（ここでは、２番目に大きいレベルの画素）を検出し、下限検出回路２７は、入力された画素の内、最小レベルの画素を除き中央レベルより小さいレベルの画素（ここでは、２番目に小さいレベルの画素）を検出する。従って、出力される信号Ｂ７においては、図８（Ｇ）に示すように、ノイズが完全に除去され、図７（Ｇ）と同じ信号波形となる。従って、第２の基本構成によれば、耐ノイズ特性に優れた輪郭補正装置とすることができる。
【００４０】
このように、注目画素である信号Ｂ１を中心とする入力された５画素より、上限値と下限値を検出する構成においては、ノイズが５画素以上離れて単発で発生する場合には、上限値は最大値であっても２番目に大きいレベルであっても、また、下限値は最小値であっても２番目に小さいレベルであっても得られる波形は同一となる。ノイズが２画素以上連続すると、図３と図６の構成では、得られる波形は異なることになる。輪郭補正を重要視すれば、図３の構成が望ましく、耐ノイズ特性を重要視すれば、図６の構成が望ましいと言うことができる。
【００４１】
＜第３の基本構成＞
図９に示す第３の基本構成は、第２の基本構成の輪郭補正装置を２次元に拡張したものである。図９において、入力端子５０より入力されたデジタル信号は、１水平期間の遅延素子５１〜５４に順次入力され、１水平期間ずつ遅延される。入力端子５０より入力されたデジタル信号は、また、１クロック遅延素子であるＤフリップフロップ５５〜５８に順次入力され、１クロックずつ遅延される。遅延素子５１〜５４より出力されたデジタル信号は、それぞれ、同じく１クロック遅延素子であるＤフリップフロップ５９〜６２，６３〜６６，６７〜７０，７１〜７４に順次入力され、１クロックずつ遅延される。
【００４２】
入力端子５０より入力されたデジタル信号は、上限検出回路７５，下限検出回路７６，２次元ハイパスフィルタ（２次元ＨＰＦ）７７にも入力される。
Ｄフリップフロップ５５〜７４の出力はそれぞれ、上限検出回路７５，下限検出回路７６，２次元ＨＰＦ７７に入力される。以上により、上限検出回路７５，下限検出回路７６，２次元ＨＰＦ７７には、Ｄフリップフロップ６４より出力された信号Ｂ１を中心として水平方向５画素，垂直方向５画素の合計２５画素の信号が入力されることになる。信号Ｂ１は加算器７９に入力される。
【００４３】
上限検出回路７５は、注目画素である信号Ｂ１を中心とする入力された２５画素を、レベルの小さい順（もしくは大きい順）に１〜２５に順位付けし、その２５画素より、最大レベルの画素ではなく、例えば最大レベルから４番目に大きいレベルの画素を検出して信号Ｂ３を出力する。この信号Ｂ３は最小値検出回路３２に入力される。
【００４４】
なお、上限検出回路７５は、入力された画素の内、最大レベルの画素を除き中央レベルより大きいレベルの画素を検出するものである。さらに望ましくは、上限検出回路７５は、入力された画素の最小レベルから最大レベルまでを小レベル部，中間レベル部，大レベル部に３等分し、その大レベル部の内、最大レベルの画素を除いたレベルの画素を検出する。従って、図９の構成においては、２番目に大きいレベルの画素でも、３番目に大きいレベルの画素でも、あるいは、５番目に大きいレベルの画素でもよい。上限検出回路７５がどのレベルの画素を検出するかは、ノイズの除去効果と輪郭補正の効果との関係で最適なものを選択すればよい。
【００４５】
下限検出回路７６は、信号Ｂ１を中心とする入力された２５画素を、レベルの小さい順（もしくは大きい順）に１〜２５に順位付けし、その２５画素より、最小レベルの画素ではなく、最小レベルから４番目に小さいレベルの画素を検出して信号Ｂ４を出力する。この信号Ｂ４は最大値検出回路８０に入力される。
【００４６】
なお、下限検出回路７６は、入力された画素の内、最小レベルの画素を除き中央レベルより小さいレベルの画素を検出するものである。さらに望ましくは、下限検出回路７６は、入力された画素の最小レベルから最大レベルまでを小レベル部，中間レベル部，大レベル部に３等分し、その小レベル部の内、最小レベルの画素を除いたレベルの画素を検出する。従って、図９の構成においては、２番目に小さいレベルの画素でも、３番目に小さいレベルの画素でも、あるいは、５番目に小さいレベルの画素でもよい。下限検出回路７６がどのレベルの画素を検出するかは、ノイズの除去効果と輪郭補正の効果との関係で最適なものを選択すればよい。
【００４７】
２次元ＨＰＦ７７は、一例として、タップ利得を次のように設定する。
−１／２５６    −４／２５６        −６／２５６        −４／２５６        −１／２５６
−４／２５６  −１６／２５６      −２４／２５６      −１６／２５６        −４／２５６
−６／２５６  −２４／２５６      ２２０／２５６      −２４／２５６        −６／２５６
−４／２５６  −１６／２５６      −２４／２５６      −１６／２５６        −４／２５６
−１／２５６    −４／２５  ６    −６／２５６        −４／２５６        −１／２５６
ここでは、２５タップのフィルタであり、タップ利得が中央に対して対称となっている。
【００４８】
２次元ＨＰＦ７７は、信号Ｂ１を中心とする入力された２５画素より、信号Ｂ１のエッジ部分の高域周波数信号成分を生成する。そして、２次元ＨＰＦ７７の出力は、ゲイン係数を例えば２とすると、乗算器７８に入力されて２倍され、信号Ｂ２とされる。この信号Ｂ２は加算器７９に入力される。
【００４９】
加算器７９は、入力された信号Ｂ１と信号Ｂ２とを加算し、信号Ｂ５を出力する。この信号Ｂ５は、信号Ｂ１に高域周波数信号成分が付加された信号である。信号Ｂ５は、最大値検出回路８０に入力される。
【００５０】
最大値検出回路８０は、信号Ｂ４と信号Ｂ５との内、大きい方を選択し、信号Ｂ６を出力する。この最大値検出回路８０によって、信号Ｂ５におけるアンダーシュートの部分が除去される。信号Ｂ６は最小値検出回路８１に入力される。最小値検出回路８１は、信号Ｂ３と信号Ｂ６との内、小さい方を選択し、信号Ｂ７を出力する。この最小値検出回路８１によって、信号Ｂ６におけるオーバーシュートの部分が除去される。なお、最大値検出回路８０及び最小値検出回路８１は、信号Ｂ５を、上限検出回路７５による上限値と下限検出回路７６による下限値との間で振幅制限する振幅制限手段として動作していることが分かる。
【００５１】
以上の動作により、信号Ｂ７は、信号Ｂ１と比較して傾斜の中心付近の傾きが急峻となり、シュート成分が付加することなく輪郭補正される。そして、この信号Ｂ７は、出力端子８２より出力される。なお、信号Ｂ７の傾斜の中心付近の傾きは、乗算器７８のゲイン係数の値によって自由に設定することができる。
【００５２】
この図９に示す第３の基本構成においても、上限検出回路７５は、入力された画素の内、最大レベルの画素を除き中央レベルより大きいレベルの画素を検出し、下限検出回路７６は、入力された画素の内、最小レベルの画素を除き中央レベルより小さいレベルの画素を検出するので、入力信号にノイズが混入しても、ノイズは完全に除去される。従って、第３の基本構成によれば、耐ノイズ特性に優れた輪郭補正装置とすることができる。
【００５３】
以上説明した第３の基本構成では、高域周波数信号生成のための２次元ＨＰＦ７７の領域を水平方向５，垂直方向５の２５タップとし、上限検出回路７５及び下限検出回路７６による領域も水平方向５，垂直方向５の２５画素として、両者の領域を同じに設定しているが、必ずしも同じにする必要はない。例えば、２次元ＨＰＦ７７を水平方向５，垂直方向５の２５タップに、上限検出回路７５及び下限検出回路７６を水平方向５，垂直方向３の１５画素としても良好な輪郭補正が可能である。
【００５４】
図９に示す第３の基本構成は、耐ノイズ特性を考慮して図６に示す第２の基本構成を２次元に拡張したものであるが、入力されるデジタル信号にノイズが含まれないような場合には、図３に示す第１の基本構成を２次元に拡張してもよい。この場合は、図９における上限検出回路７５の代わりに最大値検出回路、下限検出回路７６の代わりに最小値検出回路とすればよい。
【００５５】
以上説明した第１〜第３の基本構成の輪郭補正装置は、シュート成分が付加することなく輪郭を補正することができるようにしたものである。ところで、映像信号の表示装置が、例えばプロジェクションテレビのように、光学系により画像を拡大してスクリーンに投影する場合には、表示される画像の高域周波数信号成分が低下してしまう。
【００５６】
このように、空間高域周波数特性が低下する表示装置の場合には、映像信号を輪郭補正してもぼけた画像が表示されてしまうことになる。そこで、このような場合には、表示装置の空間周波数特性を補正するために、新たに高域周波数信号成分を生成し、輪郭補正済みの信号に細いシュート成分を意図的に付加してもよい。
【００５７】
次に、以上の基本構成を踏まえた本発明の輪郭補正装置について説明する。上記のように、本発明の輪郭補正装置は、２つの色差信号を入力信号とするものである。図１に示す本実施例では、図６に示す第２の基本構成を色差信号用に発展させた構成について示す。図１に示す回路は、２つの色差信号の一方のチャンネルの構成を示すものである。一方の色差信号をＣ１とし、他方の色差信号をＣ２とすると、色差信号Ｃ１に輪郭補正を施す動作を中心に説明する。
【００５８】
図６の回路において、２つの色差信号が、上限検出回路２６による上限値と下限検出回路２７による下限値との間で振幅制限されると、その２つの互いに独立な色差信号の振幅比率は、輪郭補正を施す前の入力された２つの色差信号に対して同じ振幅比率を保つという保証はない。２つの色差信号の振幅比率が変化すると、色相が変化してしまう。図１，図２に示す構成は、この色相の変化を防止するよう構成したものである。
【００５９】
図１において、図６と同一部分には同一符号を付し、その説明を適宜省略することとする。入力端子２１より入力されるデジタル信号は色差信号である。入力端子２１には、一例として、上位８ビットを色差信号Ｃ１とし、下位８ビットを色差信号Ｃ２とした１６ビットの信号が入力される。８ビットの色差信号Ｃ１と８ビットの色差信号Ｃ２とが交互に入力される信号としてもよい。
【００６０】
上限検出回路２６’は、図６の上限検出回路２６と同様、色差信号Ｃ１の上限値を検出し、この上限値（信号Ｂ３）を端子ａより出力する。上限検出回路２６’は、さらに、その選択した色差信号Ｃ１の上限値に対応するもう一方の色差信号Ｃ２を端子ｂより出力する。即ち、上限検出回路２６’は、色差信号Ｃ１の上限値を検出した際、それと同じタイミングにおけるもう一方の色差信号Ｃ２も同時に出力する。端子ａより出力された上限値は、減算器３４と最小値検出回路３２’に入力される。端子ｂより出力された色差信号Ｃ２は、選択器３５の端子ｂに入力される。なお、同じタイミングとは、一対の色差信号Ｃ１，Ｃ２を有する映像信号を画面上に表示するに際して、時間的に同じ位置ということである。
【００６１】
下限検出回路２７’は、図６の下限検出回路２７と同様、色差信号Ｃ１の下限値（信号Ｂ４）を検出し、この下限値を端子ａより出力する。下限検出回路２７’は、さらに、その選択した色差信号Ｃ１の下限値に対応するもう一方の色差信号Ｃ２を端子ｂより出力する。即ち、下限検出回路２７’は、色差信号Ｃ１の下限値を検出した際、それと同じタイミングにおけるもう一方の色差信号Ｃ２も同時に出力する。端子ａより出力された下限値は、減算器３４と最大値検出回路３１’に入力される。端子ｂより出力された色差信号Ｃ２は、選択器３５の端子ａに入力される。
【００６２】
最大値検出回路３１’は、比較器３１１と選択器３１２とよりなる。比較器３１１の端子ａには、下限検出回路２７’の端子ａより出力された下限値（信号Ｂ４）が入力され、端子ｂには、加算器３０の出力（信号Ｂ５）が入力される。比較器３１１は、端子ａ，ｂに入力された信号を比較し、端子ａへの信号が端子ｂへの信号より大きいとき、端子ｃより１を出力し、それ以外では０を出力する。端子ｃの出力は、選択器３１２の端子ｓとＯＲ回路３６の一方の端子に入力される。
【００６３】
選択器３１２の端子ａにも、下限検出回路２７’の端子ａより出力された下限値（信号Ｂ４）が入力され、端子ｂにも、加算器３０の出力（信号Ｂ５）が入力される。選択器３１２は、端子ｓに１が入力されたときには、端子ａの信号を選択し、端子ｓに０が入力されたときには、端子ｂの信号を選択して、端子ｃより出力する。以上の説明より分かるように、最大値検出回路３１’は、信号Ｂ５と下限値である信号Ｂ４とを比較して信号Ｂ４の方が大きいとき、比較器３１１の端子ｃからの出力が１となり、これが選択器３１２の端子ｓに入力されるので、選択器３１２は下限値である信号Ｂ４を選択して端子ｃより出力する。信号Ｂ４を選択したときは、アンダーシュートを除去したときである。選択器３１２の端子ｃの出力は、信号Ｂ６として最小値検出回路３２’の比較器３２１と選択器３２２に入力される。
【００６４】
比較器３２１の端子ａには、上限検出回路２６’の端子ａより出力された上限値（信号Ｂ３）が入力され、端子ｂには、選択器３１２の出力（信号Ｂ６）が入力される。比較器３２１は、端子ａ，ｂに入力された信号を比較し、端子ａへの信号が端子ｂへの信号より大きいとき、端子ｃより１を出力し、それ以外では０を出力する。端子ｃの出力は、選択器３５の端子ｓとインバータ３７に入力される。比較器３２１の端子ｃの出力は、インバータ３７によって反転され、選択器３２２の端子ｓとＯＲ回路３６のもう一方の端子に入力される。
【００６５】
選択器３２２の端子ａにも、上限検出回路２６’の端子ａより出力された上限値（信号Ｂ３）が入力され、端子ｂにも、選択器３１２の出力（信号Ｂ６）が入力される。選択器３２２は、端子ｓに１が入力されたときには、端子ａの信号を選択し、端子ｓに０が入力されたときには、端子ｂの信号を選択して、端子ｃより出力する。以上の説明より分かるように、最小値検出回路３２’は、信号Ｂ６と上限値である信号Ｂ３とを比較して信号Ｂ６の方が大きいとき、比較器３２１の端子ｃからの出力が０となり、これがインバータ３７によって反転されて選択器３２２の端子ｓに入力されるので、選択器３２２は上限値である信号Ｂ３を選択して端子ｃより出力する。信号Ｂ３を選択したときは、オーバーシュートを除去したときである。選択器３２２の端子ｃより出力された信号は、端子３８より出力される。
【００６６】
ＯＲ回路３６は、比較器３１１の出力とインバータ３７の出力（即ち、比較器３２１の出力を反転したもの）との論理和をとる。これによって、最大値検出回路３１’によってアンダーシュートが除去されたか、もしくは、最小値検出回路３２’によってオーバーシュートが除去されたかの少なくとも一方が検出される。少なくとも一方のシュート成分が除去されると、端子３９より１が出力され、それ以外では０が出力される。
【００６７】
減算器３４は、上限検出回路２６’より出力された上限値（信号Ｂ３）より下限検出回路２７’より出力された下限値（信号Ｂ４）を減算し、この減算結果は、端子４０より出力される。選択器３５は、端子ｓに１が入力されたときには、端子ａの信号を選択し、端子ｓに０が入力されたときには、端子ｂの信号を選択して、端子ｃより出力する。
【００６８】
即ち、最小値検出回路３２’によってオーバーシュートが除去されたときには、選択器３５の端子ｓには０が入力されるので、選択器３５は、上限検出回路２６’より出力された上限値である信号Ｂ３に対応した色差信号Ｃ２を出力する。最小値検出回路３２’によってオーバーシュートが除去されなかったときには、選択器３５の端子ｓには１が入力されるので、選択器３５は、下限検出回路２７’より出力された下限値である信号Ｂ４に対応した色差信号Ｃ２を出力する。選択器３５の端子ｃからの出力は、端子４１より出力される。なお、後述するが、最小値検出回路３２’によってオーバーシュートが除去されず、かつ、最大値検出回路３１’によってアンダーシュートが除去されなかったときは、端子４１からの信号が使用されない。
【００６９】
以上の回路動作は、色差信号Ｃ１における信号処理の動作を示したが、色差信号Ｃ２における信号処理の動作も同様である。色差信号Ｃ２を処理する回路では、上記の説明とは逆に、上限検出回路２６’は、色差信号Ｃ２の上限値（信号Ｂ３）を端子ａより出力し、その選択した色差信号Ｃ２の上限値に対応するもう一方の色差信号Ｃ１を端子ｂより出力する。下限検出回路２７’は、色差信号Ｃ２の下限値（信号Ｂ４）を端子ａより出力し、その選択した色差信号Ｃ２の下限値に対応するもう一方の色差信号Ｃ１を端子ｂより出力する。以下の動作は、色差信号Ｃ１における信号処理と同一である。
【００７０】
以上のようにして輪郭補正された色差信号Ｃ１，Ｃ２は、さらに、図２に示すように処理される。図２において、１０１で示す回路ブロックは、色差信号Ｃ１を処理する図１の如く構成された輪郭補正部であり、１０１’で示す回路ブロックは、色差信号Ｃ２を処理する図１の如く構成された輪郭補正部である。図２の全体構成によって、本発明の輪郭補正装置が構成される。図１中の端子２１，３８〜４１と、輪郭補正部１０１，１０１’中の端子２１，３８〜４１もしくは２１’，３８’〜４１’とが対応している。
【００７１】
入力端子１００より入力された上位８ビットを色差信号Ｃ１とし、下位８ビットを色差信号Ｃ２とした１６ビットの信号、もしくは、８ビットの色差信号Ｃ１と８ビットの色差信号Ｃ２とが交互に入力される信号は、輪郭補正部１０１，１０１’の入力端子２１，２１’にそれぞれ入力され、上記の如く処理される。端子３８，３８’からは、輪郭補正された色差信号Ｃ１，Ｃ２が出力される。この色差信号Ｃ１，Ｃ２は、選択器１０４，１０５の端子ｂにそれぞれ入力される。
【００７２】
端子４１，４１’からは、それぞれ、上記のように、最小値検出回路３２’によってオーバーシュートが除去されたときには、上限値である信号Ｂ３に対応した色差信号Ｃ２，Ｃ１が出力され、最小値検出回路３２’によってオーバーシュートが除去されなかったときには、下限値である信号Ｂ４に対応した色差信号Ｃ２，Ｃ１が出力される。上記の輪郭補正された色差信号Ｃ１，Ｃ２との区別を容易にするため、端子４１から出力される色差信号Ｃ２をＣ２’とし、端子４１’から出力される色差信号Ｃ１をＣ１’とする。これらの色差信号Ｃ２’，Ｃ１’は、選択器１０５，１０４の端子ａにそれぞれ入力される。
【００７３】
輪郭補正部１０１の端子４０より出力された上限値（信号Ｂ３）と下限値（信号Ｂ４）との差分は、比較器１０２の端子ａに入力され、輪郭補正部１０１’の端子４０’より出力された上限値（信号Ｂ３）と下限値（信号Ｂ４）との差分は、比較器１０２の端子ｂに入力される。比較器１０２は、端子ａ，ｂに入力された信号を比較し、端子ａへの信号が端子ｂへの信号より大きいとき、端子ｃより１を出力し、それ以外では０を出力する。端子ａへの信号が端子ｂへの信号より大きいときは、輪郭補正部１０１内の信号の方が振幅変化のレンジが大きいということである。比較器１０２の端子ｃからの出力は、制御部１０３の端子ｐに入力される。
【００７４】
輪郭補正部１０１の端子３９より出力されたオーバーシュートもしくはアンダーシュートの少なくとも一方が除去されたとき１で、それ以外では０となる信号は、制御部１０３の端子ｑ１に入力される。輪郭補正部１０１’の端子３９’より出力されたオーバーシュートもしくはアンダーシュートの少なくとも一方が除去されたとき１で、それ以外では０となる信号は、制御部１０３の端子ｑ２に入力される。制御部１０３は、端子ｐ，ｑ１，ｑ２に入力される信号に応じて、端子ｓ１，ｓ２より０もしくは１の信号を出力する。端子ｓ１，ｓ２からの信号は、選択器１０４，１０５の端子ｓに入力される。選択器１０４，１０５は、端子ｓへの信号に応じて端子ａ，ｂの一方を選択し、端子ｃより出力する。選択器１０４，１０５の選択出力を、それぞれＯ１，Ｏ２とする。
【００７５】
表１に、制御部１０３の端子ｐ，ｑ１，ｑ２に入力される信号に対する端子ｓ１，ｓ２の出力と、選択器１０４，１０５の選択出力Ｏ１，Ｏ２を示している。なお、表１に示す制御部１０３の制御は、ＡＮＤ回路やＯＲ回路等のゲート回路によって容易に実現することができる。選択器１０４，１０５は、端子ｓに１が入力されたときには、端子ａの信号を選択し、端子ｓに０が入力されたときには、端子ｂの信号を選択し、輪郭補正された最終的な色差信号Ｃ１，Ｃ２である信号Ｏ１，Ｏ２を出力する。
【００７６】
【表１】
0003555744.tif 000002
【００７７】
制御部１０３の動作をまとめると、以下のようになる。
１．色差信号Ｃ１，Ｃ２共にオーバーシュート，アンダーシュートを除去しなかったときは、輪郭補正部１０１，１０１’からの色差信号Ｃ１，Ｃ２を出力する。
２．色差信号Ｃ１，Ｃ２のいずれか一方においてオーバーシュート，アンダーシュートを除去したときは、その一方のチャンネル（即ち、輪郭補正部１０１，１０１’の一方）からの色差信号Ｃ１，Ｃ２’もしくはＣ１’，Ｃ２を出力する。
３．色差信号Ｃ１，Ｃ２共にオーバーシュート，アンダーシュートを除去したときは、上限値（信号Ｂ３）と下限値（信号Ｂ４）の差の大きい方の一方のチャンネル（即ち、輪郭補正部１０１，１０１’の一方）からの色差信号Ｃ１，Ｃ２’もしくはＣ１’，Ｃ２を出力する。
【００７８】
即ち、このことは、色差信号Ｃ１，Ｃ２を、上限値（信号Ｂ３）もしくは下限値（信号Ｂ４）で振幅制限する際に、少なくとも一方の色差信号Ｃ１，Ｃ２のシュート成分を除去したときは、他方の色差信号Ｃ１，Ｃ２を、シュート成分を除去した方の色差信号Ｃ１，Ｃ２における上限値もしくは下限値に対応する色差信号Ｃ１’，Ｃ２’に置き換えることを意味する。色差信号Ｃ１，Ｃ２における上限値もしくは下限値に対応する色差信号Ｃ１’，Ｃ２’とは、輪郭補正部１０１，１０１’によって輪郭補正を施していない（輪郭補正を施す前の）信号である。
【００７９】
以上によって、図１，図２に示す構成によれば、色差信号Ｃ１，Ｃ２に対して輪郭補正を施した際、その輪郭補正を施した部分で色相が変化してしまうことはない。大画面ディスプレイでは、色相の変化が顕著に現れるので、本発明の輪郭補正装置は、大画面ディスプレイに用いると、極めて効果的である。
【００８０】
図１，図２に示す本実施例では、図６に示す第２の基本構成を色差信号用に発展させた構成について示したが、図３に示す第１の基本構成や図９に示す第３の基本構成を色差信号用に発展させてもよいことは当然である。本発明は以上説明した本実施例に限定されることなく、本発明の要旨を逸脱しない範囲において種々変更可能である。
【００８１】
【発明の効果】
以上詳細に説明したように、本発明の輪郭補正装置は、入力されたデジタル色差信号における注目画素を中心として少なくとも５画素以上の領域より、中央レベルより大きいレベルの画素を上限値として検出する上限検出手段と、注目画素を中心として少なくとも５画素以上の領域より、中央レベルより小さいレベルの画素を下限値として検出する下限検出手段と、注目画素に対する高域周波数信号成分を生成する高域周波数信号成分生成手段と、注目画素に高域周波数信号成分を付加する付加手段と、付加手段の出力の信号レベルを、上限値と下限値との間で振幅制限する振幅制限手段とを設けて構成したので、シュート成分が付加することなく輪郭を良好に補正することができる。
【００８２】
また、上限値を最大レベルの画素を除く画素とし、下限値を最小レベルの画素を除く画素とすることにより、入力された映像信号にノイズが混入してもノイズを除去することができ、耐ノイズ特性に優れた輪郭補正装置とすることができる。従って、この場合は、大画面ディスプレイに映像を表示する際に極めて効果的である。
【００８３】
さらに、一方の色差信号を、振幅制限手段によって振幅制限することによって、シュート成分を除去して輪郭補正した際、他方の色差信号を、一方の色差信号における上限値もしくは下限値と同じタイミングの他方の色差信号に置き換える置き換え手段を設けて構成したので、色相を変化させることなく、色差信号を輪郭補正することができる。
【図面の簡単な説明】
【図１】本発明の一実施例を示すブロック図である。
【図２】本発明の全体構成を示すブロック図である。
【図３】本発明の第１の基本構成を示すブロック図である。
【図４】図３に示す第１の基本構成の動作を説明するための波形図である。
【図５】図３に示す第１の基本構成の動作を説明するための波形図である。
【図６】本発明の第２の基本構成を示すブロック図である。
【図７】図６に示す第２の基本構成の動作を説明するための波形図である。
【図８】図６に示す第２の基本構成の動作を説明するための波形図である。
【図９】本発明の第３の基本構成を示すブロック図である。
【図１０】従来例を示すブロック図である。
【図１１】従来例の動作を説明するための波形図である。
【符号の説明】
２〜５，２２〜２５，５５〜７４  Ｄフリップフロップ
６  最大値検出回路（上限検出手段）
７  最小値検出回路（下限検出手段）
８，２８  ハイパスフィルタ（高域周波数信号成分生成手段）
９，２９，７８  乗算器
１０，３０，７９  加算器（付加手段）
１１，３１，３１’，８０  最大値検出回路（振幅制限手段）
１２，３２，３２’，８１  最小値検出回路（振幅制限手段）
２６，２６’，７５  上限検出回路（上限検出手段）
２７，２７’，７６  下限検出回路（下限検出手段）
３４  減算器
３５，３１２，３２２，１０４，１０５  選択器
３６  ＯＲ回路
３７  インバータ
７７  ２次元ハイパスフィルタ（高域周波数信号成分生成手段）
１０１，１０１’  輪郭補正部
１０２，３１１，３２１  比較器
１０３  制御部
【図１】
0003555744.tif 000003
【図２】
0003555744.tif 000004
【図３】
0003555744.tif 000005
【図４】
0003555744.tif 000006
【図５】
0003555744.tif 000007
【図６】
0003555744.tif 000008
【図７】
0003555744.tif 000009
【図８】
0003555744.tif 000010
【図９】
0003555744.tif 000011
【図１０】
0003555744.tif 000012
【図１１】
0003555744.tif 000013